【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】感光材料処理装置のローラ洗浄方法及び感光材料処理装置
【手続補正２】
【補正対象書類名】明細書
【補正対象項目名】特許請求の範囲
【補正方法】変更
【補正の内容】
【特許請求の範囲】
【請求項１】  感光材料を処理液で処理する感光材料処理装置において、処理液処理部に配設されて感光材料を挟持することで感光材料に搬送力を付与し、前記処理液処理部内を搬送させる搬送ローラ対を洗浄する感光材料処理装置のローラ洗浄方法であって、
前記感光材料の運転停止状態を、比較的短い時間停止させる場合の一時停止モード、或いは比較的長時間停止させる場合の完全終了モードの何れか一方を選択し、
前記完全終了モードが選択された場合には、前記感光材料処理装置の運転停止前に前記処理液の原液を希釈する希釈水によって前記搬送ローラ対を洗浄し、
前記一時停止モードが選択された場合には、所定時間経過後の前記感光材料処理装置の再起動時に、前記希釈水によって前記搬送ローラ対を洗浄する、
ことを特徴とする感光材料処理装置のローラ洗浄方法。
【請求項２】  前記一時停止モードにおいて、前記感光材料処理装置が停止してから再起動されるまでの期間が、予め設定されている期間を経過したときには、再起動時に前記ローラ対を洗浄すると共に、アラームを出力する、ことを特徴とする請求項１記載の感光材料処理装置のローラ洗浄方法。
【請求項３】  感光材料を処理液で処理する感光材料処理装置であって、
前記処理液で前記感光材料を処理する処理液処理部に配設され、感光材料を挟持することで感光材料に搬送力を付与して搬送する搬送ローラ対と、
前記搬送ローラ対を前記処理液の原液を希釈する希釈水によって洗浄する洗浄手段と、
前記感光材料処理装置の運転停止状態を、比較的短い時間停止させる場合の一時停止モード、或いは比較的長時間停止させる場合の完全終了モードの何れか一方を選択する停止モード選択手段と、
前記選択手段で完全終了モードが選択された場合には、前記感光材料処理装置の運転停止前に前記洗浄手段を動作させ、前記選択手段で一時停止モードが選択された場合には、運転が停止された感光材料処理装置の所定時間経過後の再起動時に洗浄手段を動作させるように制御する洗浄制御手段と、
を有する感光材料処理装置。
【請求項４】  前記一時停止モードにおいて、前記感光材料処理装置が停止してから再起動されるまでの期間が、予め設定されている期間を経過したときには、前記洗浄制御手段が、再起動時に前記洗浄手段を作動させると共にアラームを出力する、ことを特徴とする請求項３記載の感光材料処理装置。
【手続補正３】
【補正対象書類名】明細書
【補正対象項目名】０００１
【補正方法】変更
【補正の内容】
【０００１】
【発明の属する技術分野】
本発明は、感光材料を搬送ローラによって搬送しながら、前記感光材料の表面に対してフィニッシング液などの処理液を用いて処理する感光材料処理装置のローラ洗浄方法及び感光材料処理装置に関する。
【手続補正４】
【補正対象書類名】明細書
【補正対象項目名】００１０
【補正方法】変更
【補正の内容】
【００１０】
本発明は上記事実を考慮し、一時的な停止と最終的な停止とを区別し、蒸発による希釈水の補充と、この希釈水によるローラ洗浄と、を併用する場合に、フィニッシャー液などの処理液の濃度が変化しないように管理することができる感光材料処理装置のローラ洗浄方法及び感光材料処理装置を得ることが目的である。
【手続補正５】
【補正対象書類名】明細書
【補正対象項目名】００１１
【補正方法】変更
【補正の内容】
【００１１】
【課題を解決するための手段】
本発明の感光材料処理装置のローラ洗浄方法は、感光材料を処理液で処理する感光材料処理装置において、処理液処理部に配設されて感光材料を挟持することで感光材料に搬送力を付与し、前記処理液処理部内を搬送させる搬送ローラ対を洗浄する感光材料処理装置のローラ洗浄方法であって、前記感光材料の運転停止状態を、比較的短い時間停止させる場合の一時停止モード、或いは比較的長時間停止させる場合の完全終了モードの何れか一方を選択し、前記完全終了モードが選択された場合には、前記感光材料処理装置の運転停止前に前記処理液の原液を希釈する希釈水によって前記搬送ローラ対を洗浄し、前記一時停止モードが選択された場合には、所定時間経過後の前記感光材料処理装置の再起動時に、前記希釈水によって前記搬送ローラ対を洗浄する、ことを特徴とする。
また、本発明の感光材料処理装置は、感光材料を処理液で処理する感光材料処理装置であって、前記処理液で前記感光材料を処理する処理液処理部に配設され、感光材料を挟持することで感光材料に搬送力を付与して搬送する搬送ローラ対と、前記搬送ローラ対を前記処理液の原液を希釈する希釈水によって洗浄する洗浄手段と、前記感光材料処理装置の運転停止状態を、比較的短い時間停止させる場合の一時停止モード、或いは比較的長時間停止させる場合の完全終了モードの何れか一方を選択する停止モード選択手段と、前記選択手段で完全終了モードが選択された場合には、前記感光材料処理装置の運転停止前に前記洗浄手段を動作させ、前記選択手段で一時停止モードが選択された場合には、運転が停止された感光材料処理装置の所定時間経過後の再起動時に洗浄手段を動作させるように制御する洗浄制御手段と、を有する。
【手続補正６】
【補正対象書類名】明細書
【補正対象項目名】００１２
【補正方法】変更
【補正の内容】
【００１２】
この発明によれば、装置を停止する際に、一時的か完全終了かを選択する。
【手続補正７】
【補正対象書類名】明細書
【補正対象項目名】００１４
【補正方法】変更
【補正の内容】
【００１４】
すなわち、フィニッシャー液などの処理液（以下、一例としてフィニッシャー液とする）が固化して搬送ローラ対が互いに固着するか、析出物としてローラ表面に付着する前に装置の稼動によってローラにフィニッシャー液が供給されることになるため、ローラはフィニッシャー液によって濡れた状態になり、ローラの洗浄を省略することができる。これにより、無駄な希釈水の使用を抑制することができ、完全終了時に確実にローラを洗浄する希釈水量を確保することができる。
【手続補正８】
【補正対象書類名】明細書
【補正対象項目名】００１５
【補正方法】変更
【補正の内容】
【００１５】
ところで、一時停止モードにおいて、基本的には上記わずかな時間で再起動するはずであったが、何らかの理由により長時間停止されることがあり得る。そこで、洗浄制御手段では、一時停止モードにおいて、所定時間経過した後に再起動があった場合には、ローラにフィニッシャー液が固化して付着していると判断し、この場合には希釈水による搬送ローラ対の洗浄を行う。すなわち、一時停止モードではあるが、所定時間経過した場合は完全終了と同等の処置をする必要があるためである。これにより、一時停止モードにおいて、何らかの理由で長時間放置（再起動なし）された場合に、ローラを完全終了と同様に希釈水により洗浄することができる。
【手続補正９】
【補正対象書類名】明細書
【補正対象項目名】００１６
【補正方法】変更
【補正の内容】
【００１６】
また、本発明の感光材料処理装置のローラ洗浄方法では、前記一時停止モードにおいて、前記感光材料処理装置が停止してから再起動されるまでの期間が、予め設定されている期間を経過したときには、再起動時に前記ローラ対を洗浄すると共に、アラームを出力する、ことを特徴としている。
このための感光材料処理装置は、前記一時停止モードにおいて、前記感光材料処理装置が停止してから再起動されるまでの期間が、予め設定されている期間を経過したときには、前記洗浄制御手段が、再起動時に前記洗浄手段を作動させると共にアラームを出力する。
【手続補正１０】
【補正対象書類名】明細書
【補正対象項目名】００１７
【補正方法】変更
【補正の内容】
【００１７】
この発明によれば、一時停止モードにおいて、前記所定時間経過後の装置の再起動が、予め設定された期間を過ぎた場合には、一時停止後の放置期間が異常に長くなるため、希釈水によって搬送ローラ対の洗浄を行うものの、通常の洗浄では落としきれない場合があり得る。そこで、洗浄と共にアラームを出力し、ユーザーに一時停止後に洗浄せずに放置された期間が長く、ローラの品質が補償できない旨を報知する。これにより、ユーザーの確認がなされるため、ローラやフィッシャー液が固化して付着することによる不具合をなくすことができる。
【手続補正１１】
【補正対象書類名】明細書
【補正対象項目名】００７７
【補正方法】変更
【補正の内容】
【００７７】
【発明の効果】
以上説明した如く本発明は、一時的な停止と最終的な停止とを区別し、蒸発による希釈水の補充と、この希釈水によるローラ洗浄と、を併用する場合に、フィニッシャー液などの処理液の濃度が変化しないように管理することができるという優れた効果を有する。